(57)【要約】【課題】企業や商店、団体等の開店開業日、周年日、閉店廃業日などの年月日情報、及びこれら記念日のイベント情報を容易に収集／案内するための配信システムを提供する。【解決手段】配信システムにおいてサーバは、スポンサー側通信装置から、開店開業日／周年日のいずれかに関する年月日情報と、当該記念日に係るイベントの情報とを受け付ける。サーバは、開店開業日の日付に基づき翌年度以降の周年日情報を算出する。新規開店者がサーバに登録する開店日は、サーバにおいて周年日が登録され、既存店が周年の記念日を登録した場合は、翌年度以降の周年日に更新される。サーバは、ユーザ側通信装置からキーワード等の送信を受け付けてスポンサーを検索する。サーバは、周年記念日に係るイベント情報等の更新有無に応じて、閉店情報を配信するためのウェブサイトまたは周年や開店の日の情報を配信するためのウェブサイトをユーザ側通信装置に応答する。【選択図】図１４
2015232760.tif 000002
【特許請求の範囲】
【請求項１】
サーバと、スポンサー端末と、ユーザ端末とを含む配信システムであって、
前記サーバは、
前記スポンサー端末からのアクセス、または前記ユーザ端末からのアクセスを受け付けてデータを送受信するための通信インタフェースと、
カレンダーの年月日のセルに、各スポンサーの情報と、前記スポンサーそれぞれの開店開業日の情報とを対応付けて記憶し、前記開店開業日のイベント情報と、前記開店開業日の翌年度以降の周年の年月日のイベント情報とを記憶するためのメモリと、
前記サーバの動作を制御し、前記イベント情報を前記ユーザ端末へ配信するための第１のプロセッサとを備え、
前記スポンサー端末は、
前記スポンサーを識別する情報と、前記スポンサーの開店開業日の情報と、前記ユーザ端末へ配信する、前記開店開業日のイベント情報とを前記サーバへ登録するための操作を受け付ける入力インタフェースと、
前記操作により受け付けた登録内容を前記サーバへ送信するための通信ユニットとを備え、
前記ユーザ端末は、
ディスプレイと、
通信部と、
前記ユーザ端末の動作を制御するための第２のプロセッサとを備え、
前記サーバの前記第１のプロセッサは、
前記スポンサー端末から前記開店開業日の情報を受信し、受信した前記開店開業日の日付と、前記スポンサーを識別する情報とを対応付けて前記メモリに記憶させ、前記開店開業日の少なくとも翌年度以降の周年の年月日を演算により特定し、特定された前記周年の年月日を示す周年日情報を前記カレンダーの年月日のセルに記憶させるための登録処理部と、
前記開店開業日の情報と、当該開店開業日に関連するスポンサーを識別する情報と、前記開店開業日のイベント情報とを前記ユーザ端末へ送信するための開店情報配信部と、
前記周年日情報と、前記周年の年月日のイベント情報とを前記ユーザ端末へ送信するための周年情報送信部としての機能を発揮するよう構成され、
前記ユーザ端末の前記第２のプロセッサは、
前記サーバから、前記スポンサーの開店開業日の情報と、前記周年日情報とを受信するための受信処理部と、
前記受信した情報を前記ディスプレイに表示するための表示処理部として機能するよう構成される、配信システム。
【請求項２】
前記スポンサー端末は、前記入力インタフェースにより、
前記スポンサーを識別する情報と、前記スポンサーの周年の年月日と、前記ユーザ端末へ配信する前記周年の年月日のイベント情報とを前記サーバへ登録するための操作を受け付けるよう構成されており、
前記サーバの前記第１のプロセッサの前記登録処理部は、
前記スポンサー端末により前記登録を受け付けた情報を前記スポンサー端末から受信し、前記スポンサーの周年の年月日を示す前記周年日情報と、前記スポンサーを識別する情報と、前記周年の年月日のイベント情報とを対応付けて前記メモリに記憶させ、前記受信した前記周年の年月日の少なくとも翌年度以降の周年の年月日を演算により特定するためのものであり、
前記周年情報送信部は、前記周年日情報として登録を受け付けた周年の年月日、または、前記登録を受け付けた周年の年月日の少なくとも翌年度以降の周年の年月日と、前記周年の年月日のイベント情報とを前記ユーザ端末へ送信するためのものである、請求項１に記載の配信システム。
【請求項３】
サーバと、スポンサー端末と、ユーザ端末とを含む配信システムであって、
前記サーバは、
前記スポンサー端末からのアクセス、または前記ユーザ端末からのアクセスを受け付けてデータを送受信するための通信インタフェースと、
カレンダーの年月日のセルに、各スポンサーの情報と、前記スポンサーそれぞれの開店開業日から一定年数が経過する周年の年月日を示す周年日情報と、前記周年の年月日のイベント情報とを対応付けて記憶するためのメモリと、
前記サーバの動作を制御し、前記イベント情報を前記ユーザ端末へ配信するための第１のプロセッサとを備え、
前記スポンサー端末は、
前記スポンサーを識別する情報と、前記スポンサーの前記周年の年月日を示す周年日情報と、前記ユーザ端末へ配信する、前記周年の年月日のイベント情報とを前記サーバへ登録するための操作を受け付ける入力インタフェースと、
前記操作により受け付けた登録内容を前記サーバへ送信するための通信ユニットとを備え、
前記ユーザ端末は、
ディスプレイと、
通信部と、
前記ユーザ端末の動作を制御するための第２のプロセッサとを備え、
前記サーバの前記第１のプロセッサは、
前記スポンサー端末から前記スポンサーの前記周年日情報を受信し、受信した前記周年日情報と、前記スポンサーの情報とを対応付けて前記メモリに記憶させ、前記受信した周年日情報に示される年月日の少なくとも翌年度以降の周年の年月日を演算により特定し、特定された前記周年の年月日を前記カレンダーの年月日のセルに記憶させるための登録処理部と、
前記登録を受け付けた周年の年月日または当該年月日に基づき特定される少なくとも翌年度以降の周年の年月日と、前記周年の年月日のイベント情報とを前記ユーザ端末へ送信するための周年情報送信部としての機能を発揮するよう構成され、
前記ユーザ端末の前記第２のプロセッサは、
前記サーバから、前記スポンサーの周年の年月日の情報を受信するための受信処理部と、
前記受信した情報を前記ディスプレイに表示するための表示処理部として機能するよう構成される、配信システム。
【請求項４】
前記サーバの前記第１のプロセッサは、
前記スポンサー端末から前記イベント情報の登録操作を受信しない期間が一定条件を満たす場合に、前記スポンサーが閉店廃業した可能性を示す情報を前記ユーザ端末へ送信するための閉店情報送信部としての機能を発揮するよう構成され、
前記ユーザ端末の前記第２のプロセッサの前記受信処理部は、前記スポンサーが閉店廃業した可能性を示す情報を受信する機能を発揮するよう構成されており、
前記表示処理部は、前記閉店廃業した可能性を示す情報を前記ディスプレイに表示する機能を発揮するよう構成されている、請求項１から３のいずれか１項に記載の配信システム。
【請求項５】
前記スポンサー端末の前記入力インタフェースは、前記スポンサーにより指定される閉店廃業日を示す情報を前記サーバへ登録するための操作を受け付けるためのものであり、
前記サーバの前記第１のプロセッサの前記登録処理部は、
前記スポンサー端末により前記登録を受け付けた前記スポンサーの指定にかかる閉店廃業日を示す情報を前記スポンサー端末から受信し、受信した前記閉店廃業日の日付と、前記スポンサーを識別する情報とを対応付けて前記メモリに記憶させ、
前記サーバの前記第１のプロセッサは、
前記閉店廃業日の日付が前記メモリに記憶されている場合に、前記スポンサーの指定にかかる閉店廃業日を示す情報を、前記ユーザ端末と前記スポンサー端末との少なくともいずれかへ送信するための閉店情報送信部と、
閉店廃業に伴うスポンサーとの取引を仲介するサービスを提供するサービスサイトへアクセスするためのＵＲＬ（Uniform  Resource  Locator）情報を、前記ユーザ端末と前記スポンサー端末との少なくともいずれかへ送信するためのサイト情報送信部としての機能を発揮するよう構成されている、請求項１から３のいずれか１項に記載の配信システム。
【発明の詳細な説明】
【技術分野】
【０００１】
本発明は、企業商店、団体等それぞれの開店開業日、周年記念日、閉店廃業日の日付、および、その日付に対応している慶事などのイベント情報を配信するための技術に関する。
【背景技術】
【０００２】
企業、商店、団体等は、その開業の日において「開店記念」等と称して消費者へ向けて、開業の日に関連した売り出し企画を実施することが商慣行としてしばしば行われている。また、開業の日から一定年数が経過する日を示す周年の日においては、例えば「開業１周年」「１０周年記念」等と称して、これを記念して売り出し、出版など多種多様な企画が催されることも多い。また、開業している店舗等が閉店する場合や、店舗等を移転して再オープンした場合も、これに関連して企画が行われることが社会一般で定着している。
【０００３】
このように、個人における誕生日、冠婚葬祭日のセレモニーと同様に、企業、商店、団体等においても、開店日、周年日、閉店日、移転日などの各種の記念日に、これに関連するイベントを実施して、ビジネスの機会として利用することが、商慣行として定着している。
【０００４】
なお、お祝いの時期や、お祝い、お見舞い、香典等の額の決定など、冠婚葬祭に係る諸々の行動を支援する慶弔行事支援システムが、特許文献１に記載されている。
【先行技術文献】
【特許文献】
【０００５】
【特許文献１】特開２０１０−２１８０７９号公報
【発明の概要】
【発明が解決しようとする課題】
【０００６】
しかし、これら企業、商店、団体等の記念日に関連するイベントなどの商機を、広く広告案内することは容易ではない。例えば、イベント情報を告知する手段としては、店舗等のホームページにイベント情報をアップロードすること、実店舗に張り紙をすること、印刷媒体として配布すること等があるが、各店舗等のホームページのページビューが比較的少ない場合はホームページに掲載することの効果は小さい。また、実店舗への張り紙による掲示や印刷媒体による配布についても、告知手段としては十分ではない。ついては、企業や商店などの開店開業日（Open  Day）、周年記念日（Open  Day-th）、閉店廃業日（Close  Day）の当日に対応して実行される慶事などのイベント情報を、効果的に配信するためのビジネスモデルが必要とされている。
【０００７】
そこで、本発明は、新規オープンする企業や商店、団体等の開店日、周年日、閉店日などの記念日の情報を容易に配信するための配信システムを提供することを目的とする。
【課題を解決するための手段】
【０００８】
一実施形態に従う配信システムは、サーバと、スポンサー端末と、ユーザ端末とを含むものである。サーバは、スポンサー端末からのアクセス、またはユーザ端末からのアクセスを受け付けてデータを送受信するための通信インタフェースと、カレンダーの年月日のセルに、各スポンサーの情報と、スポンサーそれぞれの開店開業日の情報とを対応付けて記憶し、開店開業日のイベント情報と、開店開業日の翌年度以降の周年の年月日のイベント情報とを記憶するためのメモリと、サーバの動作を制御し、イベント情報をユーザ端末へ配信するための第１のプロセッサとを備える。スポンサー端末は、スポンサーを識別する情報と、スポンサーの開店開業日の情報と、ユーザ端末へ配信する、開店開業日のイベント情報とをサーバへ登録するための操作を受け付ける入力インタフェースと、操作により受け付けた登録内容をサーバへ送信するための通信ユニットとを備える。ユーザ端末は、ディスプレイと、通信部と、ユーザ端末の動作を制御するための第２のプロセッサとを備える。サーバの第１のプロセッサは、スポンサー端末から開店開業日の情報を受信し、受信した開店開業日の日付と、スポンサーを識別する情報とを対応付けてメモリに記憶させ、開店開業日の少なくとも翌年度以降の周年の年月日を演算により特定し、特定された周年の年月日を示す周年日情報をカレンダーの年月日のセルに記憶させるための登録処理部と、開店開業日の情報と、当該開店開業日に関連するスポンサーを識別する情報と、開店開業日のイベント情報とをユーザ端末へ送信するための開店情報配信部と、周年日情報と、周年の年月日のイベント情報とをユーザ端末へ送信するための周年情報送信部としての機能を発揮するよう構成される。ユーザ端末の第２のプロセッサは、サーバから、スポンサーの開店開業日の情報と、周年日情報とを受信するための受信処理部と、受信した情報をディスプレイに表示するための表示処理部として機能するよう構成される。
【０００９】
別の実施形態によると、サーバの第１のプロセッサは、スポンサー端末からイベント情報の登録操作を受信しない期間が一定条件を満たす場合に、スポンサーが閉店廃業した可能性を示す情報をユーザ端末へ送信するための閉店情報送信部としての機能を発揮するよう構成される。ユーザ端末の第２のプロセッサの受信処理部は、スポンサーが閉店廃業した可能性を示す情報を受信する機能を発揮するよう構成されている。表示処理部は、閉店廃業した可能性を示す情報をディスプレイに表示する機能を発揮するよう構成されている。
【発明の効果】
【００１０】
上記一実施形態によると、企業、商店、団体等は、それぞれの開店日、周年日などの記念日を、容易に検索可能とし、周知させることができる。
【００１１】
また、上記一実施形態によると、サーバが一定期間内にスポンサー端末からイベント情報の更新操作を受信しない場合に、ユーザ端末に対してスポンサーの閉店を示す情報を送信する機能を発揮する。そのため上記一実施形態によると、一定期間、スポンサー側によるイベント情報の掲載がない場合は、スポンサーが閉店している可能性があるとして、ユーザに対し、スポンサーの閉店を自動的に周知させることができ、スポンサーおよびユーザの利便性を向上させることができる。
【００１２】
この発明の上記および他の目的、特徴、局面および利点は、添付の図面と関連して理解されるこの発明に関する次の詳細な説明から明らかとなるであろう。
【図面の簡単な説明】
【００１３】
【図１】実施の形態の配信システムの構成を示す図である。
【図２】スポンサー側通信装置１０Ａの構成を示すブロック図である。
【図３】サーバ２０Ａの構成を示すブロック図である。
【図４】ユーザ側通信装置３０Ａの構成を示すブロック図である。
【図５】スポンサー管理情報２６１のデータ構造を示す図である。
【図６】ユーザ管理情報２６４のデータ構造を示す図である。
【図７】カレンダー情報２６６のデータ構造を示す図である。
【図８】スポンサー側通信装置１０Ａがスポンサーの情報をサーバ２０Ａに登録する処理を示すフローチャートである。
【図９】ユーザ側通信装置３０Ａがサーバ２０に対してスポンサーを検索する処理および検索結果をサーバ２０がユーザ側通信装置３０Ａへ応答する処理を示すフローチャートである。
【図１０】スポンサーが所在地を変更した場合に、サーバ２０がスポンサー側通信装置１０Ａから変更の登録を受け付けて、開店開業日の情報を更新する処理を示すフローチャートである。
【図１１】スポンサー側通信装置１０Ａがスポンサーの情報をサーバ２０Ａに登録するために、ディスプレイ１０４に表示するインタフェースの一例を示す図である。
【図１２】ユーザ側通信装置３０がスポンサーの情報を取得して、開店開業日の情報を表示するインタフェースと、周年の日の情報を表示するインタフェースの一例を示す図である。
【図１３】ユーザ側通信装置３０がスポンサーの情報を取得して、閉店廃業日の情報を表示するインタフェースと、追跡情報を表示するインタフェースの一例を示す図である。
【図１４】スポンサーの更新状況に応じてサーバ２０からユーザ側通信装置３０へ応答されるウェブサイトの例を示す図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜実施の形態＞
図１は、実施の形態の配信システムの構成を示す図である。図１に示すように、配信システムは、スポンサー側通信装置１０と、サーバ２０と、ユーザ側通信装置３０とを含み、これらの装置がネットワーク９０によって互いに通信可能に接続されている。
【００１６】
図１の例では、スポンサー側通信装置１０として、ラップトップ型の情報処理装置であるスポンサー側通信装置１０Ａを示す。また、サーバ２０として、複数のサーバからなるサーバ２０Ａを示す。サーバ２０Ａは、データベースシステムを管理するＤＢＭＳ（database  management  system）としての機能を有する。また、ユーザ側通信装置３０として、タブレット型の情報処理装置であるユーザ側通信装置３０Ａと、スマートフォンであるユーザ側通信装置３０Ｂとを示す。
【００１７】
スポンサー側通信装置１０は、企業、商店、団体等（以下、サーバ２０を介してユーザ側通信装置３０に情報を配信する発信者を、「スポンサー」ということもある）の関係者が操作する情報処理装置である。例えば、スポンサー側通信装置１０は、商店のオーナーが、商店の周年の記念日に関連するイベント（例えば、売り出し企画などの販売促進用の企画）をサーバ２０に登録し、サーバ２０を通じて消費者へ情報を配信するための入力操作を受け付ける。スポンサー側通信装置１０は、受け付けた入力操作の内容をサーバ２０へ送信する。また、スポンサー側通信装置１０は、店舗等のオーナーが、閉店廃業の日付をサーバ２０に登録するための入力操作を受け付けて、閉店廃業の情報を、サーバ２０を通じてユーザ側通信装置３０、スポンサー側通信装置１０などの外部の装置へ配信する。また、スポンサー側通信装置１０は、新たに開店開業を希望するスポンサーからの登録を受け付けており、例えば、開店開業を希望する地域の設定を受け付けるための操作、サーバ２０から提供される閉店廃業の情報を取得するための操作などを受け付ける。
【００１８】
サーバ２０は、スポンサー側通信装置１０およびユーザ側通信装置３０のアクセスを受け付けており、複数のウェブサイトを管理するサーバとして機能する。サーバ２０は、例えば、（１）企業、商店、団体等の開店開業日の情報を配信するための、開店開業日情報を掲載したウェブサイトと、（２）これらの開店開業日から一定年数が経過する日を示す周年の情報を配信するための、周年の情報を掲載したウェブサイトと、（３）これらの閉店廃業日を示す閉店廃業日情報を掲載したウェブサイトと、（４）閉店した店舗等の、その後の経過（所在地の移転先、業態の変更、廃業後の人の情報など）を示す追跡情報を掲載したウェブサイトと、（５）閉店廃業に伴い、店舗等の物件や、店舗等で使用されていた備品、什器などを取得したい者と、閉店廃業する事業者との取引を促して取引を仲介するためのプラットフォームを提供するウェブサイトを管理する。サーバ２０は、これらウェブサイトを管理することで、ユーザ側通信装置３０に対し、店舗等の開店開業日、周年の記念日、閉店廃業日などに関連するイベント情報を配信し、店舗等の閉店廃業に伴う物件、備品等の取引機能を提供する。
【００１９】
また、サーバ２０は、複数の情報処理装置により構成されており、外部のサーバと通信可能であるとしてもよい。例えば、サーバ２０は、スポンサーの店名、所在地、電話番号などスポンサーに関する情報を収録した電話帳データベースを保持するサーバを含むこととしてもよいし、このような電話帳データベースを保持する外部のサーバと通信可能であり、外部のサーバへアクセスしてスポンサーに関する情報を受信可能であるとしてもよい。
【００２０】
ユーザ側通信装置３０は、サーバ２０にアクセスし、店舗等の各種の記念日の情報や、記念日に関連するイベントの情報などを取得してディスプレイに表示する。
【００２１】
＜Ａ．構成＞
配信システムに含まれるスポンサー側通信装置１０、サーバ２０およびユーザ側通信装置３０の構成を説明する。
【００２２】
＜Ａ１．スポンサー側通信装置１０の構成＞
図２は、スポンサー側通信装置１０Ａの構成を示すブロック図である。図２を参照して、スポンサー側通信装置１０Ａは、アンテナ１０１と、無線通信部１０２と、入力操作受付部１０３と、ディスプレイ１０４と、入出力Ｉ／Ｆ（Interface）１０５と、記憶部１０６と、制御部１０７とを含む。
【００２３】
アンテナ１０１は、スポンサー側通信装置１０Ａが発する信号を電波として空間へ放射する。また、アンテナ１０１は、空間から電波を受信して受信信号を無線通信部１０２へ与える。無線通信部１０２は、スポンサー側通信装置１０Ａが他の通信機器と通信するため、アンテナ１０１等を介して信号を送受信するための変復調処理などを行う。無線通信部１０２は、チューナー、高周波回路などを含む無線通信用の通信モジュールであり、スポンサー側通信装置１０Ａが送受信する無線信号の変復調や周波数変換を行い、受信信号を制御部１０７へ与える。入力操作受付部１０３は、スポンサー側の関係者の入力操作を受け付けるための部材である。入力操作受付部１０３は、例えばキーボード、トラックパッド、タッチパネル等の各種の入力装置によって実現される。
【００２４】
ディスプレイ１０４は、スポンサー側通信装置１０Ａにおいてアプリケーションプログラムが動作することにより、メニュー画面や、消費者側のユーザに配信するイベント情報を編集するためのユーザーインタフェースなどを表示する。ディスプレイ１０４は、例えばＬＣＤ（Liquid  Crystal  Display）によって実現されるが、有機ＥＬ（electroluminescence）ディスプレイその他の表示装置によって実現されることとしてもよい。入出力Ｉ／Ｆ１０５は、スポンサー側通信装置１０Ａと各種の機器とを接続するための汎用のインタフェースである。記憶部１０６は、フラッシュメモリ、ＲＡＭ（Random  Access  Memory）等により構成され、スポンサー側通信装置１０Ａが使用するデータおよびプログラムを記憶する。ある局面において、記憶部１０６は、スポンサー情報１６１と、イベント情報１６２と、記念日情報１６３と、出店条件情報１６４とを記憶する。
【００２５】
スポンサー情報１６１は、スポンサー側通信装置１０Ａを操作する、店舗等のスポンサーの属性などを含む情報である。例えば、スポンサー情報１６１は、スポンサーの店名、スポンサーの店舗の所在地、スポンサーの業態の分類（飲食業などの業態のカテゴリ）などの情報を含む。
【００２６】
イベント情報１６２は、店舗等の開店開業日、周年の日、閉店廃業日などの記念日に関連する、販売促進などの企画を示す情報である。スポンサー側通信装置１０Ａは、スポンサーの記念日に関連するイベントの情報の入力操作を受け付けてイベント情報１６２として記憶する。記念日情報１６３は、店舗等のスポンサーの開店開業日などの記念日の日付を示す情報である。出店条件情報１６４は、スポンサーが新たに店舗等の開店開業を目指す場合などにおいて、スポンサーが設定している開店開業の条件を示す情報である。例えば、出店条件情報１６４は、開店開業の条件として、店舗を出店する地域の条件、店舗の業態の条件、開店開業の日付などを含む。
【００２７】
制御部１０７は、記憶部１０６に記憶される制御プログラムを読み込んで実行することにより、スポンサー側通信装置１０Ａの動作を制御する。制御部１０７は、例えばアプリケーションプロセッサである。制御部１０７は、プログラムに従って動作することにより、登録情報編集部１７１と、通信制御部１７２と、報知制御部１７３との各機能を発揮する。
【００２８】
登録情報編集部１７１は、店舗等のスポンサーの属性の登録を入力操作受付部１０３によって受け付けて、記憶部１０６のスポンサー情報１６１を更新する処理を行う。また、登録情報編集部１７１は、イベントの情報、記念日の日付の情報、開店開業の条件を示す情報その他の情報の登録を入力操作受付部１０３によって受け付けて、記憶部１０６のイベント情報１６２、記念日情報１６３、出店条件情報１６４を更新する処理を行う。通信制御部１７２は、サーバ２０Ａに対し、スポンサー情報１６１、イベント情報１６２、記念日情報１６３、出店条件情報１６４等の、スポンサー側の関係者の入力操作の内容を示すデータ等を送信する処理を制御する。報知制御部１７３は、サーバ２０Ａ等からの通知を受けて、通知内容をディスプレイ１０４等によって報知する処理を行う。
【００２９】
なお、スポンサー側通信装置１０Ａは、アンテナ１０１等による無線通信の他に、ＬＡＮ（Local  Area  Network）ポート等を備えて有線接続によって他の通信機器と通信可能であるとしてもよい。
【００３０】
＜Ａ２．サーバ２０の構成＞
図３は、サーバ２０Ａの構成を示すブロック図である。図３を参照して、サーバ２０Ａは、通信部２０２と、入出力Ｉ／Ｆ２０５と、記憶部２０６と、制御部２０７とを含む。
【００３１】
通信部２０２は、サーバ２０Ａが他の通信機器と使用するため、信号を送受信するための変復調処理などを行う通信インタフェースである。入出力Ｉ／Ｆ２０５は、サーバ２０Ａと各種の機器とを接続するための汎用のインタフェースである。記憶部２０６は、フラッシュメモリ、ＨＤＤ（Hard  Disk  Drive）、ＲＡＭ等により構成され、サーバ２０Ａが使用するプログラムを記憶し、サーバ２０Ａが使用する各種のデータを蓄積する。ある局面において、記憶部２０６は、スポンサー管理情報２６１と、ウェブサイト用ファイル２６２と、サイト管理用プログラム２６３と、ユーザ管理情報２６４と、追跡情報２６５と、カレンダー情報２６６と、地域別開業履歴情報２６７とを記憶する。
【００３２】
スポンサー管理情報２６１は、店舗等のスポンサーを管理するための情報である。スポンサー管理情報２６１は、店舗等のスポンサーを識別する情報と、スポンサーの開店開業日、周年記念日、閉店廃業日などの記念日を示す情報と、これら開店開業日、周年記念日、閉店廃業日などの記念日に関連するイベントの情報とを含む。詳しくは後述する。サーバ２０Ａは、スポンサー側通信装置１０Ａと接続し、スポンサー側通信装置１０Ａがスポンサー情報、記念日の情報、イベントの情報の入力操作をユーザから受け付けた操作内容に応じて、スポンサー管理情報２６１を更新する。ウェブサイト用ファイル２６２は、サーバ２０Ａが管理している複数のウェブサイトで使用される画像、テキストなどのデータファイル群である。サイト管理用プログラム２６３は、ウェブサイトの管理者が、ウェブサイトの構成などを管理するためのＣＭＳ（Content  Management  System）などのプログラムである。
【００３３】
ユーザ管理情報２６４は、サーバ２０Ａが管理するウェブサイトを利用する、消費者側のユーザを管理するための情報である。ユーザ管理情報２６４は、消費者側のユーザを識別する情報と、これらユーザが利用している店舗等のスポンサーを特定する情報と、これらユーザによるウェブサイトへのアクセスの履歴などを含む。詳細は後述する。追跡情報２６５は、店舗等のスポンサーが閉店した場合に、閉店後の経過（所在地の移転先、業態の変更、廃業後の人の情報など）を示す情報である。
【００３４】
カレンダー情報２６６は、各年度のカレンダー内に、日付に応じた３６５個のセルを含み、各セルに、当該セルの日付に示される開店開業日、周年記念日、閉店廃業日などの記念日の情報を含むスポンサーを格納している情報である。サーバ２０Ａは、スポンサー側通信装置１０Ａから送信される情報に基づきスポンサー管理情報２６１を更新し、スポンサー管理情報２６１に示される各記念日の情報をもとに、カレンダー情報２６６を、逐次（例えば、１日ごとに）、更新する。例えば、サーバ２０Ａは、ユーザ側通信装置３０Ａから、日付を指定した検索条件を受け付けた場合に、カレンダー情報２６６を参照して、当該日付に適合する記念日を有するスポンサーの情報をユーザ側通信装置３０Ａへ応答する。
【００３５】
地域別開業履歴情報２６７は、地域ごとに、店舗等の開業の履歴を示す情報である。サーバ２０Ａは、各スポンサーの開店開業日、所在地等のスポンサー情報の登録を受け付けており、受け付けた情報に基づいて、地域ごとの各スポンサーの開店開業および閉店廃業の履歴を生成する。
【００３６】
制御部２０７は、記憶部２０６に記憶される制御プログラムを読み込んで実行することにより、サーバ２０Ａの動作を制御する。制御部２０７は、例えば複数のプロセッサによって実現される。制御部２０７は、プログラムに従って動作することにより、登録処理部２７１と、更新状況判定部２７２と、開店情報配信部２７３と、周年情報送信部２７４と、閉店情報送信部２７５と、追跡情報／サイト送信部２７６と、検索処理部２７７との各機能を発揮する。
【００３７】
登録処理部２７１は、スポンサー情報をスポンサー管理情報２６１に登録するための入力操作の内容をスポンサー側通信装置１０Ａから受信し、スポンサー管理情報２６１を更新する処理、カレンダー情報２６６を更新する処理などを制御する。例えば、サーバ２０Ａは、スポンサー側通信装置１０Ａから、スポンサーを識別する情報やスポンサーの開店開業日の情報の登録を受け付けて、スポンサーの開店開業日に示される日から一定年数が経過する周年の日を算出し、スポンサーの開店開業日と、算出した周年の日とをスポンサー管理情報２６１に登録する。また、サーバ２０Ａは、既存の店舗などのスポンサーから、周年の日付と、開店開業した日からの年数とを受け付けて、受け付けた周年の日の情報をスポンサー管理情報２６１に登録する。また、サーバ２０Ａは、スポンサーから、閉店廃業の日の情報を受け付けて、受け付けた閉店廃業の日の情報をスポンサー管理情報２６１に登録する。
【００３８】
更新状況判定部２７２は、ユーザ側通信装置３０Ａからのアクセスに応じて、ユーザ側通信装置３０Ａに応答するスポンサーのイベント情報が、ユーザ側通信装置３０Ａからのアクセスの時点に基づき一定期間内になされたものであるか否か、すなわち、スポンサー側通信装置１０Ａによるイベント情報の更新状況が一定条件を満たすか否かを判定する。例えば、スポンサーの周年の記念日を基準に、その日付より以前の一定期間内（例えば、２週間以内や一か月以内などの期間）にイベント情報の更新がない場合、当該スポンサーは閉店した可能性がある。この場合、サーバ２０Ａは、ユーザ側通信装置３０Ａに対し、当該スポンサーの閉店廃業日を掲載したウェブサイトを応答する。
【００３９】
開店情報配信部２７３は、ユーザ側通信装置３０Ａからのアクセスに応じて、企業、商店、団体等の開店開業日の情報を配信するための、開店開業日情報を掲載したウェブサイトをユーザ側通信装置３０Ａへ返すことにより、開店開業日の情報を配信する。周年情報送信部２７４は、ユーザ側通信装置３０Ａからのアクセスに応じて、企業、商店、団体等の開店開業日から一定年数が経過する日を示す周年の情報を配信するための、周年の情報を掲載したウェブサイトをユーザ側通信装置３０Ａへ返すことにより、周年の情報を配信する。閉店情報送信部２７５は、ユーザ側通信装置３０Ａからのアクセスに応じて、企業、商店、団体等の閉店廃業日を示す閉店廃業日情報を掲載したウェブサイトをユーザ側通信装置３０Ａへ返すことにより、閉店廃業日の情報を配信する。
【００４０】
追跡情報／サイト送信部２７６は、ユーザ側通信装置３０Ａからのアクセスに応じて、閉店した店舗等の、その後の経過（所在地の移転先、業態の変更、廃業後の人の情報など）を示す追跡情報を掲載したウェブサイトをユーザ側通信装置３０Ａへ返すことにより、追跡情報を配信する。追跡情報／サイト送信部２７６は、追跡情報を配信するサイトの他に、店舗等の閉店廃業に伴って発生する空き物件、物品等の保有者と、これら物件の利用、物品の取得などを目指す他の事業者とをつなげるプラットフォームを提供するウェブサイト（例えば、オークションサイト）の情報（例えば、ＵＲＬ（Uniform  Resource  Locator））を、外部の装置（スポンサー側通信装置１０、ユーザ側通信装置３０などの装置）へ送信する。検索処理部２７７は、ユーザ側通信装置３０Ａから、スポンサー情報を検索するためのキーワードを受け付けて、当該キーワードに基づいてスポンサーを検索する。スポンサー情報を検索するためのキーワードには、例えば、スポンサーの店名、スポンサーの所在地、スポンサーの業態・業種を検索するための任意のキーワードなどがある。
【００４１】
＜Ａ３．ユーザ側通信装置３０の構成＞
図４は、ユーザ側通信装置３０Ａの構成を示すブロック図である。図４を参照して、ユーザ側通信装置３０Ａは、アンテナ３０１と、送受信部３０２と、タッチパネル３０３と、ディスプレイ３０４と、記憶部３０６と、制御部３０７と、測位センサ３１１と、マイク３１２と、スピーカ３１３と、発光部３１４と、バイブレータ３１５とを含む。
【００４２】
アンテナ３０１は、ユーザ側通信装置３０Ａが発する信号を電波として放射する。また、アンテナ３０１は、空間から電波を受信して受信信号を送受信部３０２へ与える。送受信部３０２は、ユーザ側通信装置３０Ａが他の通信機器と使用するため、信号を送受信するための変復調処理などを行う通信インタフェースである。タッチパネル３０３は、消費者側のユーザの入力操作を受け付ける。タッチパネル３０３は、例えば静電容量方式のものを用いることによってユーザの接触操作を受け付ける。タッチパネル３０３は、消費者側のユーザによる入力操作を制御部３０７へ出力する。ディスプレイ３０４は、例えばＬＣＤによって実現され、ユーザ側通信装置３０Ａがサーバ２０Ａから受信したファイルを表示する。
【００４３】
記憶部３０６は、フラッシュメモリ、ＲＡＭ等により構成され、ユーザ側通信装置３０Ａが使用するプログラム、および、ユーザ側通信装置３０Ａがサーバ２０Ａから受信した各種データを記憶する。ある局面において、記憶部３０６は、スポンサー関連情報３６２と、所在地情報３６３と、検索条件３６４とを記憶する。スポンサー関連情報３６２は、スポンサーに関連する情報を示しており、例えば、ユーザ側通信装置３０Ａのユーザが、お気に入り等の設定をしているスポンサーを示す情報である。
【００４４】
所在地情報３６３は、ユーザ側通信装置３０Ａの位置を示す情報である。例えば、ユーザ側通信装置３０Ａは、測位センサ３１１によってユーザ側通信装置３０Ａの緯度、経度を取得して、取得した緯度及び経度をもとにユーザ側通信装置３０Ａの位置を所在地情報３６３として記憶する。検索条件３６４は、ユーザ側通信装置３０Ａのユーザが、サーバ２０Ａに対し、スポンサーを検索するための検索条件を示す。例えば、ユーザ側通信装置３０Ａは、ユーザ側通信装置３０Ａのユーザが頻繁に使用する検索用のキーワードなどを、検索条件３６４として記憶する。
【００４５】
制御部３０７は、記憶部３０６に記憶される制御プログラムを読み込んで実行することにより、ユーザ側通信装置３０Ａの動作を制御する。制御部３０７は、アプリケーションプロセッサによって実現される。制御部３０７は、プログラムに従って動作することにより、送信処理部３７１と、受信処理部３７２と、表示制御部３７３と、通知情報報知部３７４との各機能を発揮する。
【００４６】
送信処理部３７１は、ユーザ側通信装置３０Ａがサーバ２０Ａとの通信接続を確立し、ユーザ側通信装置３０Ａからサーバ２０Ａへデータを送信する処理を制御する。受信処理部３７２は、ユーザ側通信装置３０Ａがサーバ２０Ａとの通信接続を確立し、サーバ２０Ａからユーザ側通信装置３０Ａへ送信されるデータを受信する処理を制御する。表示制御部３７３は、ユーザ側通信装置３０Ａがサーバ２０Ａから受信したデータをディスプレイ３０４に表示する処理を行う。
【００４７】
通知情報報知部３７４は、ユーザ側通信装置３０Ａがサーバ２０Ａから受信した通知を、ディスプレイ３０４、スピーカ３１３、発光部３１４、バイブレータ３１５等によって報知する処理を行う。例えば、サーバ２０Ａに、予めユーザが特定のスポンサーを指定する処理を行い、当該スポンサーについてイベント情報の更新があった場合に、サーバ２０Ａからユーザ側通信装置３０Ａへ当該更新を示す通知がなされ、ユーザ側通信装置３０Ａがディスプレイ３０４等によって報知する。
【００４８】
測位センサ３１１は、ユーザ側通信装置３０Ａの位置を計測するためのセンサであり、例えばＧＰＳ（Global  Positioning  System）モジュールである。マイク３１２は、音声信号の入力を受け付けて制御部３０７へ出力するための音声入力部として機能する。スピーカ３１３は、音声信号を、ユーザ側通信装置３０Ａの外部へ出力するための音声出力部として機能する。発光部３１４は、例えばＬＥＤ（Light  Emitting  Diode）により構成され、制御部３０７の制御に従って発光する。バイブレータ３１５は、制御部３０７の制御に従って、モータの駆動によりユーザ側通信装置３０Ａを振動させる。
【００４９】
＜Ｂ．データ構造＞
次に、配信システムで使用する各種のデータの構造について説明する。
【００５０】
＜Ｂ１．スポンサー管理情報２６１のデータ構造＞
図５は、スポンサー管理情報２６１のデータ構造を示す図である。図５を参照して、サーバ２０Ａの記憶部２０６に記憶されるスポンサー管理情報２６１は、スポンサー識別情報２６１Ａと、屋号または店名情報２６１Ｂと、所在地２６１Ｃと、カテゴリ２６１Ｄと、開店開業日／周年記念日２６１Ｅと、イベント情報２６１Ｆと、イベント登録日２６１Ｇと、閉店廃業日２６１Ｈと、ＵＲＬ２６１Ｉと、出店条件２６１Ｊとを含む。
【００５１】
スポンサー識別情報２６１Ａは、スポンサーそれぞれを識別するための情報である。屋号または店名情報２６１Ｂは、各スポンサーの屋号や店名などの名称を示す。所在地２６１Ｃは、スポンサーに関する場所（例えば、店舗の住所など）を示す。
【００５２】
カテゴリ２６１Ｄは、スポンサーの業態のカテゴリを示し、例えば、カテゴリ「グルメ・飲食」、カテゴリ「美容・ファッション」などの大分類と、より詳細なカテゴリ（例えば、カテゴリ「グルメ・飲食」のうち、サブカテゴリ「イタリアン」、カテゴリ「美容・ファッション」のうち、サブカテゴリ「洋服」などの小分類）とを含む。
【００５３】
開店開業日／周年記念日２６１Ｅは、スポンサーの開店の日、またはスポンサーが初期登録としてサーバ２０に登録する周年の日を示す。例えば、サーバ２０は、あるスポンサーの開店または周年の初期登録の年月日とともに、周年の日の登録である場合は、何周年目かを示す情報をスポンサー側通信装置１０から受け付けて開店開業日／周年記念日２６１Ｅに記憶させる。例えば、開店開業日／周年記念日２６１Ｅにおいて、日付「yyyy.mm.dd」は、yyyy年mm月dd日であることを示し、カッコ内の数字は、値「０」であれば開店開業日、値が１以上であれば周年の年数を示す。例えば、開店開業日／周年記念日２６１Ｅにおいて、日付「2012.10.01」と周年「(0)」と示されている場合、このスポンサーは、２０１２年１０月１日が開店開業日であることを示す。また、開店開業日／周年記念日２６１Ｅにおいて、日付「2013.09.01」と周年「(5)」と示されている場合、サーバ２０は、スポンサーから、２０１３年９月１日を５周年の記念日として初期登録を受け付けている。
【００５４】
イベント情報２６１Ｆは、スポンサーが、開店開業日、周年の日、閉店廃業日などに関連して消費者等に発信するイベントの情報を示す。イベント登録日２６１Ｇは、スポンサーが、イベント情報２６１Ｆに示すイベントの情報を更新した日を示す。
【００５５】
閉店廃業日２６１Ｈは、スポンサーの閉店休業の日を示す。ＵＲＬ２６１Ｉは、スポンサーの情報が掲載されるＷｅｂページへアクセスするためのアクセス先の情報を示す。出店条件２６１Ｊは、スポンサーが新たに店舗等の開店開業を目指す場合の、スポンサーが設定する開店開業の条件を示す。図５の例では、出店条件２６１Ｊとして、スポンサーが、開店開業をする地の条件として条件「Ｊ県Ｋ市Ｌ区」を設定している例を示す。
【００５６】
＜Ｂ２．ユーザ管理情報２６４のデータ構造＞
図６は、ユーザ管理情報２６４のデータ構造を示す図である。図６を参照して、サーバ２０Ａの記憶部２０６に記憶されるユーザ管理情報２６４は、ユーザ識別情報２６４Ａと、ユーザ名２６４Ｂと、所在地２６４Ｃと、お気に入り店情報２６４Ｄと、検索条件２６４Ｅと、アクセス履歴２６４Ｆと、ユーザへの通知２６４Ｇとを含む。
【００５７】
ユーザ識別情報２６４Ａは、ユーザ側通信装置３０を使用してサーバ２０にアクセスするユーザそれぞれを識別する。ユーザ名２６４Ｂは、ユーザそれぞれの登録名を示す。所在地２６４Ｃは、ユーザが指定した住所や、ユーザ側通信装置３０から送信される位置情報により特定されるユーザ側通信装置３０の位置を示す。
【００５８】
お気に入り店情報２６４Ｄは、ユーザがお気に入りとして指定したスポンサーを示す。検索条件２６４Ｅは、ユーザがスポンサーを検索するためにサーバ２０に登録した検索用のキーワードを示す。アクセス履歴２６４Ｆは、サーバ２０が管理するウェブサイトにユーザがアクセスした履歴（例えば、最後にアクセスした日付、時間などを含む）を示す。ユーザへの通知２６４Ｇは、サーバ２０からユーザ側通信装置３０への通知の設定を示す。例えば、通知が設定「あり」の場合、ユーザがお気に入り店情報２６４Ｄに指定したスポンサーが情報を更新したときに、サーバ２０からユーザ側通信装置３０へ当該スポンサーが更新した情報を通知する。また、例えば、所在地２６４Ｃに示されるユーザ側通信装置３０の位置周辺のスポンサーの情報をサーバ２０からユーザ側通信装置３０へ通知する。
【００５９】
＜Ｂ３．カレンダー情報２６６のデータ構造＞
図７は、カレンダー情報２６６のデータ構造を示す図である。図７を参照して、サーバ２０Ａの記憶部２０６に記憶されるカレンダー情報２６６は、日付２６６Ａと、スポンサー識別情報２６６Ｂと、屋号または店名情報２６６Ｃと、所在地２６６Ｄと、開店開業日２６６Ｅと、周年情報２６６Ｆと、閉店廃業日２６６Ｇと、イベント情報２６６Ｈとを含む。
【００６０】
日付２６６Ａは、各年度のカレンダーにおける日付を示す。カレンダー情報２６６において、各年度に、日付に対応した３６５個のカレンダーセルが設けられている。なお、うるう年は１年が３６６日となるが、開店開業日や周年の日などは毎年到来する日付であるため、企業や商店などにおいて、うるう日を開店開業日や周年の日とすることはまれであると想定される。そのため各年度のカレンダーセルは３６５個であるとする。
【００６１】
スポンサー識別情報２６６Ｂは、日付２６６Ａに示される日付において、開店開業日、周年の日、閉店廃業日などの記念日を有するスポンサーを示す。屋号または店名情報２６６Ｃは、各スポンサーの屋号や店名などの名称を示す。所在地２６６Ｄは、スポンサーに関する場所（例えば、店舗の住所など）を示す。
【００６２】
開店開業日２６６Ｅは、スポンサーの開店の日を示す。周年情報２６６Ｆは、スポンサーの開店の日から経過した年数（周年の情報）を示す。閉店廃業日２６６Ｇは、スポンサーが閉店した日、またはスポンサー側通信装置１０からのイベント情報の更新状況に基づいて、スポンサーが閉店したとサーバ２０が推定した日を示す。イベント情報２６６Ｈは、スポンサー側通信装置１０から登録されたイベント情報を示す。
【００６３】
例えば、サーバ２０は、スポンサー側通信装置１０からスポンサーの開店開業日、閉店廃業日などの登録を受け付けた場合は、カレンダー情報２６６を参照して、その開店開業日、閉店廃業日に示される日付のセルに、当該スポンサーの識別情報などを登録する。また、サーバ２０は、スポンサー側通信装置１０からスポンサーの開店開業日の登録を受け付けた場合に、この開店開業日の日付を基準として、翌年度以降の周年の記念日を演算により特定する。サーバ２０は、翌年度以降のカレンダーにおける周年の記念日の日付のセルに、当該スポンサーの識別情報、周年の情報などを登録する。例えば、サーバ２０は、スポンサーの開店開業日が開店開業日「2012.10.01」である場合、この年月日（２０１２年１０月１日）に対応する翌年度以降の周年の記念日を演算により特定する。例えば、サーバ２０は、１周年の記念日として周年記念日「2013.10.01」を算出し、この算出された周年記念日のカレンダーのセルと対応付けて、スポンサーの情報と、周年情報２６６Ｆに年数「１」とを登録する。以降の年度の周年の記念日についても同様に周年記念日の算出を行い、算出された日付のセルと対応付けて、スポンサーの情報と、周年情報２６６Ｆへの値の格納とを行う。
【００６４】
スポンサーは廃業、閉店する場合もあるため、サーバ２０は、イベント登録日２６１Ｇを参照し、スポンサーから一定期間、イベント情報（イベント情報２６１Ｆ）の更新がない場合（例えば、スポンサー側通信装置１０からサーバ２０へアクセスした最終日時から一定期間が過ぎた場合や、現在の日時から一定期間内にスポンサー側通信装置１０からイベント情報の更新がない場合など）は、このスポンサーが閉店した可能性があるとして閉店廃業日２６６Ｇを更新する。例えば、サーバ２０は、各スポンサーのイベント情報の更新がなされているか否かの更新状況を逐次判定しており、スポンサーから一定期間、イベント情報の更新がないと検出した時点を、スポンサーの閉店廃業の日とする。
【００６５】
＜Ｃ．動作と画面例＞
次に、配信システムを構成する各装置の動作を説明する。以下、（１）スポンサーの情報をサーバ２０Ａに登録するための入力操作をスポンサー側通信装置１０Ａが受け付けて、ユーザの入力操作に応じてサーバ２０がスポンサー管理情報２６１を更新する処理を説明する。また、（２）ユーザ側通信装置３０Ａがサーバ２０に対してスポンサーを検索するためのキーワードを送信し、サーバ２０がスポンサー管理情報２６１に基づいてスポンサーを検索し、スポンサーによるイベント情報の更新状況に基づいて、開店開業日、周年の日、閉店廃業日の情報を配信するためのウェブサイトを応答する処理を説明する。また、（３）スポンサーが所在地を変更した場合に、サーバ２０がスポンサー側通信装置１０Ａから変更の登録を受け付けて、開店開業日の情報を更新する処理を説明する。
【００６６】
＜Ｃ１．スポンサーの情報の登録＞
図８を参照して、スポンサー側通信装置１０Ａがスポンサーの情報をサーバ２０Ａに登録する入力操作を受け付けてサーバ２０Ａがスポンサー管理情報２６１を更新する処理を説明する。
【００６７】
図８は、スポンサー側通信装置１０Ａがスポンサーの情報をサーバ２０Ａに登録する処理を示すフローチャートである。
【００６８】
ステップＳ１０１において、スポンサー側通信装置１０Ａの制御部１０７は、サーバ２０が提供するスポンサー情報の登録用のウェブサイトへの接続要求をサーバ２０へ送信する。例えば、スポンサー側通信装置１０Ａは、ＨＴＴＰ（Hypertext  Transfer  Protocol）等のプロトコルに従ってサーバ２０Ａと通信し、ウェブサイトの情報を受信してブラウザにより表示する。スポンサー側通信装置１０Ａは、ウェブサイトへログインするための入力操作を入力操作受付部１０３によって受け付けて、ウェブサイトへの接続要求をサーバ２０Ａへ送信する。
【００６９】
ステップＳ２０１において、サーバ２０Ａは、スポンサー情報の登録用のウェブサイトへの接続要求をスポンサー側通信装置１０Ａから受け付けて、スポンサーの認証処理などを行い、その結果をスポンサー側通信装置１０Ａへ応答する。
【００７０】
ステップＳ１１１において、スポンサー側通信装置１０Ａの制御部１０７は、サーバ２０Ａから受信したデータに基づき、スポンサー情報の登録用の画面を、例えばブラウザ等によってディスプレイ１０４に表示する。制御部１０７は、スポンサー情報としてサーバ２０Ａに登録するデータ（例えば、スポンサーを識別する情報や、スポンサーの開店開業日を示す情報や、既存の企業や商店がデータを入力する場合などは周年の年月日の情報や、イベント情報や、閉店廃業の日を示す情報や、スポンサーが新規に出店を計画しているときの出店条件の情報など）の入力操作を入力操作受付部１０３によって受け付ける。
【００７１】
ステップＳ１２１において、制御部１０７は、受け付けた操作内容に基づいて、スポンサー情報としてサーバ２０Ａに登録するデータをサーバ２０Ａへ送信する。
【００７２】
ステップＳ２１１において、サーバ２０Ａの制御部２０７は、スポンサー情報として登録するデータをスポンサー側通信装置１０Ａから受信して、受信したデータに基づきスポンサー管理情報２６１等の各データを更新する。
【００７３】
＜Ｃ２．スポンサーの検索＞
図９は、ユーザ側通信装置３０Ａがサーバ２０に対してスポンサーを検索する処理および検索結果をサーバ２０がユーザ側通信装置３０Ａへ応答する処理を示すフローチャートである。
【００７４】
ステップＳ３０１において、ユーザ側通信装置３０Ａの制御部３０７は、スポンサーの情報を取得するための入力操作をユーザから受け付ける。例えば、制御部３０７は、ユーザから、サーバ２０が管理するウェブサイトへアクセスするためのブラウザへの入力操作や、サーバ２０が管理するウェブサイトへアクセスするためのアプリケーションを起動する入力操作や、これらブラウザ、アプリケーションを介してスポンサーを検索するためのキーワードの入力操作などを受け付ける。
【００７５】
ステップＳ３１１において、制御部３０７は、所在地、スポンサーの店名、例えば電話帳データベースに示されるスポンサーのカテゴリなど、スポンサーを検索するためのキーワードをサーバ２０へ送信する。例えば、ユーザ側通信装置３０Ａは、ユーザから、スポンサーを検索するためのキーワードを指定する入力操作を受け付けている場合は、当該キーワードをサーバ２０へ送信する。また、例えば、ユーザがキーワードを明示的に入力していない場合においても、制御部３０７は、サーバ２０へアクセスするためのアプリケーションが起動された際などに、測位センサ３１１によって測定したユーザ側通信装置３０Ａの位置を示す所在地情報３６３や、ユーザがスポンサーを検索するための検索条件として予め保存している検索条件３６４を読み出してサーバ２０へ送信する。
【００７６】
ステップＳ２２１において、サーバ２０の制御部２０７は、ユーザ側通信装置３０から受け付けたキーワード、検索条件３６４等に基づいて、スポンサー管理情報２６１を検索する。
【００７７】
ステップＳ２３１において、制御部２０７は、スポンサー管理情報２６１を参照し、ユーザ側通信装置３０から受け付けたキーワード、検索条件３６４等に適合するスポンサーについて、スポンサー側通信装置１０Ａからの更新状況に基づいて、一定期間内にイベント情報が登録されているか（更新されているか）否かを判断する。例えば、サーバ２０は、イベント登録日２６１Ｇを参照し、ユーザ側通信装置３０からのアクセスを受け付けた時点を基準として、その時点より以前の一定期間内（例えば、６カ月など）にイベント情報２６１Ｆの登録があったか否かを判断する。
【００７８】
ステップＳ２４１において、制御部２０７は、一定期間、スポンサー側通信装置１０Ａからイベント情報の更新がないと判断される場合は、スポンサーが閉店した可能性があるとして、スポンサーを識別する情報とともに、閉店廃業日を配信するためのウェブサイトをユーザ側通信装置３０Ａへ応答する。また、制御部２０７は、一定期間内にイベント情報の更新があると判断される場合は、スポンサーを識別する情報とともに、開店開業の日、周年の日、閉店廃業の日の登録状況に応じて、開店開業の日を配信するためのウェブサイト、周年の日を配信するためのウェブサイト、または閉店廃業の日を配信するためのウェブサイトをユーザ側通信装置３０Ａへ応答することで、スポンサーが登録したイベント情報をユーザ側通信装置３０Ａへ配信する。
【００７９】
ステップＳ３２１において、ユーザ側通信装置３０Ａの制御部３０７は、サーバ２０からのウェブサイトの応答を受信する。
【００８０】
ステップＳ３３１において、制御部３０７は、受信したウェブサイトをディスプレイ３０４に表示し、スポンサーのイベント情報、開店開業日の情報、周年の情報、閉店廃業日の情報などを表示する。
【００８１】
＜Ｃ３．スポンサーの所在地の変更に伴う、開店開業日の更新処理＞
図１０は、スポンサーが所在地を変更した場合に、サーバ２０がスポンサー側通信装置１０Ａから変更の登録を受け付けて、開店開業日の情報を更新する処理を示すフローチャートである。既にスポンサーの情報がサーバ２０に登録されており、スポンサー側通信装置１０Ａがスポンサー情報を更新するためにサーバ２０へアクセスする。
【００８２】
ステップＳ１０１において、スポンサー側通信装置１０Ａの制御部１０７は、サーバ２０が提供するスポンサー情報の登録用のウェブサイトへの接続要求をサーバ２０へ送信する。
【００８３】
ステップＳ２０１において、サーバ２０の制御部２０７は、スポンサー情報の登録用のウェブサイトへの接続要求をスポンサー側通信装置１０Ａから受け付けて、スポンサーの認証処理などを行い、その結果をスポンサー側通信装置１０Ａへ応答する。
【００８４】
ステップＳ１１３において、スポンサー側通信装置１０Ａの制御部１０７は、スポンサー情報の登録用の画面をディスプレイ１０４に表示し、スポンサーの所在地の情報を更新する入力操作を入力操作受付部１０３によって受け付ける。
【００８５】
ステップＳ１２３において、制御部１０７は、スポンサー情報として登録する、スポンサーの所在地のデータをサーバ２０へ送信する。
【００８６】
ステップＳ２１３において、サーバ２０の制御部２０７は、スポンサーの所在地のデータをスポンサー側通信装置１０Ａから受信して、スポンサー管理情報２６１の所在地２６１Ｃを更新する。制御部２０７は、所在地のデータの更新とともに、開店開業日／周年記念日２６１Ｅに示されるスポンサーの開店開業日の情報を更新する。例えば、所在地２６１Ｃの更新とともにイベント情報２６１Ｆの更新がされている場合において、このイベント情報２６１Ｆに日付の情報が含まれている場合は、新たな開店であると推定して、その日付を開店開業日／周年記念日２６１Ｅに登録する。また、例えば、サーバ２０は、所在地２６１Ｃを更新した場合に、スポンサー側通信装置１０Ａに対し、開店開業日の情報を更新するか否かを選択するための入力画面のデータを応答し、応答結果に応じて開店開業日の情報をスポンサー側通信装置１０Ａから受け付けてもよい。
【００８７】
＜Ｃ４．スポンサーの情報の登録画面例＞
図１１は、スポンサー側通信装置１０Ａがスポンサーの情報をサーバ２０Ａに登録するために、ディスプレイ１０４に表示するインタフェースの一例を示す図である。例えば、図８のステップＳ１１１の処理に対応する。図１１（Ａ）は、スポンサーの情報の登録を受け付けるための画面例を示す。図１１（Ｂ）は、スポンサーが新規に開店開業をするための条件の設定を受け付けるための画面例を示す。
【００８８】
図１１に示すように、スポンサー側通信装置１０Ａは、ディスプレイ１０４に、スポンサー情報をサーバ２０Ａに登録するための各項目の入力を受け付ける画面を表示する。具体的には、制御部１０７は、スポンサー管理情報２６１に登録するため、スポンサーの名称を示す名称入力部１４１と、スポンサーの店舗等の所在地を示す所在地入力部１４２と、スポンサーの業態のカテゴリを示すカテゴリ入力部１４３と、スポンサーの店舗等の開店開業日を示す開店開業日入力部１４４と、開店開業日、周年の日、閉店廃業日などの記念日に関連するイベントの入力を受け付けるイベント情報入力部１４５と、スポンサーのＵＲＬを示すＵＲＬ入力部１４６とを表示する。各項目の入力内容は、スポンサー管理情報２６１に反映される。例えば、名称入力部１４１は屋号または店名情報２６１Ｂに対応し、所在地入力部１４２は所在地２６１Ｃに対応し、カテゴリ入力部１４３はカテゴリ２６１Ｄに対応し、開店開業日入力部１４４は開店開業日２６１Ｅに対応し、イベント情報入力部１４５はイベント情報２６１Ｆに対応する。スポンサー側通信装置１０Ａは、スポンサーから、周年の日の情報、または閉店廃業の日の情報の入力を受け付けるための周年閉店登録部１５７を表示する。
【００８９】
サーバ２０は、スポンサーに対し、イベント情報をユーザ側通信装置３０のユーザに届けるための各種のサービスを提供している。スポンサー側通信装置１０Ａは、ディスプレイ１０４に、プッシュ通知選択部１４７と、ランキング掲載選択部１４８と、添削サービス選択部１４９とを表示する。また、スポンサー側通信装置１０Ａは、スポンサーの開店開業を促すため、開店開業の条件を設定するための出店条件登録部１５０をディスプレイ１０４に表示する。
【００９０】
プッシュ通知選択部１４７は、スポンサーが登録したイベント情報を、ユーザ側通信装置３０にプッシュ通知するか否かの選択を受け付けるためのラジオボタンである。例えば、サーバ２０は、スポンサー管理情報２６１を参照し、スポンサーが登録する所在地（所在地２６１Ｃ）を特定し、この所在地に位置するユーザ側通信装置３０をユーザ管理情報２６４によって特定する。
【００９１】
このように特定されたユーザのユーザ側通信装置３０に対し、プッシュ通知によって、スポンサーのイベント情報を送信する。すなわち、ユーザ側通信装置３０のユーザがサーバ２０にアクセスする入力操作を行わずとも、スポンサーのイベント情報が更新されたことを示す情報を、サーバ２０からユーザ側通信装置３０へ送信する。
【００９２】
スポンサーが登録する所在地の他に、サーバ２０は、このスポンサーをお気に入りに登録しているユーザ側通信装置３０をユーザ管理情報２６４によって特定することで、これらユーザのユーザ側通信装置３０にプッシュ通知を行うこととしてもよいし、スポンサーのカテゴリを検索条件として指定しているユーザをユーザ管理情報２６４の検索条件２６４Ｅによって特定して、これらユーザのユーザ側通信装置３０にプッシュ通知を行うこととしてもよい。
【００９３】
また、サーバ２０は、アクセスの頻度が高いユーザをユーザ管理情報２６４のアクセス履歴２６４Ｆによって特定することで、サーバ２０を頻繁に利用するユーザのユーザ側通信装置３０にプッシュ通知を行うこととしてもよい。このように、サーバ２０がユーザ側通信装置３０へのプッシュ通知のサービスを提供することで、スポンサーのイベント情報がユーザ側通信装置３０のユーザに届けられる可能性が高まる。
【００９４】
ランキング掲載選択部１４８は、スポンサーが検索結果として掲載される順位を上位に押し上げるためのオプションをスポンサー側通信装置１０に提供するためのラジオボタンである。例えば、ユーザ側通信装置３０が所在地などに基づいてスポンサーを検索した場合に、その検索結果の上位に掲載されるほど、ユーザ側通信装置３０のユーザによってアクセスされる可能性が高まるため、スポンサーに対し、検索結果に掲載される順位を押し上げるための選択肢を提供することができる。
【００９５】
添削サービス選択部１４９は、スポンサーがイベント情報として登録する内容が、ユーザ側通信装置３０のユーザにとって閲覧されやすいものであるか否かを添削するサービスを、例えばサーバ２０の事業者がスポンサー側通信装置１０の関係者に提供するものである。例えばイベント情報がテキストで掲載される場合、テキストデータの内容によって、ユーザ側通信装置３０のユーザの反応率が異なることが想定される。
【００９６】
そこで、例えばサーバ２０の事業者が、スポンサー側通信装置１０の関係者に対し、イベント情報として掲載すべき内容の成功事例を紹介し、イベント情報として掲載する内容を添削するサービスを提供する。
【００９７】
これらプッシュ通知選択部１４７、ランキング掲載選択部１４８および添削サービス選択部１４９によって提供されるサービスは、スポンサーと、ユーザ側通信装置３０のユーザとのマッチング率を向上させることを目的としている。
【００９８】
例えば、サーバ２０の事業者が、有料によってスポンサー側通信装置１０の関係者にこれらサービスを提供する。ユーザ側通信装置３０は、スポンサーからのプッシュ通知を、例えばスピーカ３１３による音声出力、発光部３１４による発光、バイブレータ３１５による振動等によってユーザに報知する。
【００９９】
出店条件登録部１５０は、スポンサーが開店開業の条件を設定するための入力インタフェースを提供する。出店条件登録部１５０への入力操作に応答して、サーバ２０から、図１１（Ｂ）に示すように、開店開業の条件の設定を受け付ける画面がスポンサー側通信装置１０Ａへ送信される。
【０１００】
スポンサー側通信装置１０Ａは、ディスプレイ１０４に、出店地域１５１と、業態１５２と、レポート取得部１５３と、開店開業予定日１５４と、閉店情報受け取り設定１５９とを表示する。出店地域１５１は、開店開業の地の条件を示す。業態１５２は、開店開業する業態のカテゴリを示す。レポート取得部１５３は、開店開業の地における店舗の出店の履歴などを含むマーケティングレポートをスポンサー側通信装置１０Ａがサーバ２０に要求し、この要求に応じてサーバ２０が地域別開業履歴情報２６７等に基づいて、各地域の店舗の開業履歴を含むマーケティングレポートを生成し、生成されたマーケティングレポートをサーバ２０から取得する機能をスポンサーへ提供する。
【０１０１】
開店開業予定日１５４は、開店開業の日付を示す。閉店情報受け取り設定１５９は、開店開業の条件に対応して、閉店廃業する店舗等がある場合に、その店舗の情報を受け取るか否かの設定を示す。例えば、閉店廃業する店舗等の情報を受け取る設定の場合、出店地域１５１に、スポンサーが開店開業する地域の条件が指定されていると、当該地域において閉店廃業日の登録をする店舗等がある場合に、この店舗等の情報がサーバ２０からスポンサー側通信装置１０Ａへ送信される。これにより、スポンサーは、いち早く閉店廃業する店舗の情報を獲得することができ、例えば居抜き物件の取得や、閉店廃業する店舗等に設置されている物品の買取などを行うことができる。
【０１０２】
＜Ｃ５．スポンサーの開店開業日、周年記念日、閉店廃業日、追跡情報を表示する画面の例＞
図１２は、ユーザ側通信装置３０がスポンサーの情報を取得して、開店開業日の情報を表示するインタフェースと、周年の日の情報を表示するインタフェースの一例を示す図である。例えば、図９のステップＳ３３１の処理に対応する。図１２（Ａ）は、スポンサーの開店開業日を配信するウェブサイトの表示例である。図１２（Ｂ）は、スポンサーの周年の日を配信するウェブサイトの表示例である。
【０１０３】
図１２（Ａ）に示すように、ユーザ側通信装置３０は、ディスプレイ３０４に、スポンサーの開店開業日を配信するウェブサイトを表示する。ユーザ側通信装置３０は、サーバ２０から受信したデータに基づき、スポンサーの名称を表示する名称表示部３４１と、スポンサーの所在地を表示する所在地表示部３４２と、スポンサーのカテゴリを表示するカテゴリ表示部３４３と、スポンサーの開店開業日を表示する開店開業日表示部３４４と、スポンサーが登録したイベント情報を表示するイベント情報表示部３４５とを表示する。
【０１０４】
また、ユーザ側通信装置３０は、ユーザ側通信装置３０のユーザが、スポンサーをお気に入りとして登録しているか否かをお気に入り設定表示部３４６に表示し、お気に入りの設定のオンとオフの操作をお気に入り設定入力部３４７によって受け付ける。ユーザ側通信装置３０は、ユーザがサーバ２０にアクセスした時点をアクセス時点表示部３４８に表示する。ＵＲＬ３５６は、例えばスポンサーのウェブサイトへアクセスするためのＵＲＬを表示する。
【０１０５】
図１２（Ｂ）に示すように、ユーザ側通信装置３０は、ディスプレイ３０４に、スポンサーの周年の日を配信するウェブサイトを表示する。周年情報表示部３４９は、スポンサーの周年を示す。周年記念日表示部３５０は、スポンサーの周年の日を示す。サーバ２０は、スポンサー管理情報２６１のイベント登録日２６１Ｇを参照し、イベント情報が、アクセス時点から一定期間内に登録されているためユーザ側通信装置３０に対して周年の情報を配信するためのウェブサイトを応答する（ステップＳ２４１）。サーバ２０は、例えば、ユーザからアクセスを受け付けた時点において、スポンサーの開店開業日または周年の日のうち、最も近い日付の情報を表示する。
【０１０６】
図１２（Ｂ）の例では、スポンサーの名称「イタリアンキッチンＡＡＡ」の開店開業日は、スポンサー管理情報２６１を参照すると開店開業日「２０１２年１０月１日」である。サーバ２０がユーザ側通信装置３０からアクセスを受け付けた時点は、アクセス日時「２０１３年９月３０日」であるため、周年の日として周年の日「２０１３年１０月１日」を応答する。
【０１０７】
図１３は、ユーザ側通信装置３０がスポンサーの情報を取得して、閉店廃業日の情報を表示するインタフェースと、追跡情報を表示するインタフェースの一例を示す図である。図１３（Ａ）は、スポンサーの閉店廃業日を配信するウェブサイトの表示例である。図１３（Ｂ）は、スポンサーの追跡情報を配信するウェブサイトの表示例である。
【０１０８】
図１３（Ａ）に示すように、ユーザ側通信装置３０は、ディスプレイ３０４に、スポンサーの閉店廃業日を配信するウェブサイトを表示する。ユーザ側通信装置３０は、サーバ２０から受信したデータに基づき、スポンサーの閉店廃業日を表示する閉店廃業日表示部３５１を表示する。また、ユーザ側通信装置３０は、閉店したスポンサーのその後の状況を追跡した追跡情報をユーザに提供するための追跡情報サービス受付部３５３を表示する。ユーザ側通信装置３０は、閉店するスポンサーの店舗等の物件、店舗等に設置されている備品などを、閉店するスポンサーと取引するためのプラットフォームを提供するための取引仲介サービス受付部３５４を表示する。
【０１０９】
閉店したスポンサーのその後の状況とは、例えば、スポンサーが廃業したか否か、スポンサーが業態を変更して転業したか否か、スポンサーの閉店時の資源（設備、器具などの物的資源、雇用者、被雇用者などの人的資源）の保管状況、移動状況などである。サーバ２０は、各スポンサーについてこれら追跡情報の登録を、第三者やスポンサーから受け付ける。ユーザ側通信装置３０は、追跡情報サービス受付部３５３への入力操作を受け付けて、追跡情報をサーバ２０へ要求する。サーバ２０は、認証処理等を経て、追跡情報の要求に応じて、追跡情報を配信するためのウェブサイトをユーザ側通信装置３０へ応答する。
【０１１０】
図１３（Ｂ）に示すように、ユーザ側通信装置３０は、ディスプレイ３０４に、追跡情報を配信するウェブサイトを表示する。ユーザ側通信装置３０は、サーバ２０から受信したデータに基づき、追跡情報を追跡情報表示部３５２に表示する。
【０１１１】
これにより、例えば、スポンサーの閉店に伴いスポンサーの設備、機材などの回収を希望する者、スポンサーの関係者などの人材の紹介を希望する者などに、スポンサーの閉店の情報を提供することができる。すなわち、閉店するスポンサーと、閉店に伴う資源の回収等を希望する者とのマッチングを容易にすることができる。
【０１１２】
図１４は、スポンサーの更新状況に応じてサーバ２０からユーザ側通信装置３０へ応答されるウェブサイトの例を示す図である。図１４（Ａ）は、スポンサーの開店開業日の情報と、開店開業日に関連するイベント情報とが表示されるインターフェースの例を示す（ウェブサイトではスポンサーの名称や所在地など、スポンサーについての情報が表示されるが、図１４（Ａ）では開店開業日を例示している）。
【０１１３】
その後、スポンサーが周年の日に関連して情報を更新し、イベント情報を配信したとする。サーバ２０は、ユーザ側通信装置３０に対し、周年の日の情報を配信するためのウェブサイトを応答する（ステップＳ２４１）。図１４（Ｂ）は、スポンサーの周年の日の情報と、周年の日に関連するイベント情報とが表示されるインターフェースの例を示す。
【０１１４】
ただし、サーバ２０に対し、スポンサーから周年のイベントの情報の登録が一定期間内になされていない場合は、スポンサーが閉店している可能性がある。サーバ２０は、ユーザ側通信装置３０に対し、閉店廃業日の情報を配信するためのウェブサイトを応答する（ステップＳ２４１）。図１４（Ｃ）は、スポンサーの閉店廃業日の情報と、閉店廃業日に関連するイベント情報と、追跡情報をサーバ２０からユーザ側通信装置３０へ配信するための操作ボタンとが表示されるインターフェースの例を示す。図１４（Ｄ）は、取引仲介サービス受付部３５４への入力操作をユーザ側通信装置３０が受け付けて、スポンサーの閉店に伴い、閉店するスポンサーと、閉店店舗の物件、店舗等に設置されている備品などを取引するためのプラットフォームを提供するウェブサイトを表示する例を示す。なお、図１４（Ｄ）に示すウェブサイトは、スポンサー側通信装置１０において表示することで、新規に開店開業をすることを検討しているスポンサーと、店舗を閉店したいスポンサーとをマッチングさせることができ、開店開業を検討するスポンサーの初期コストを低減させ、店舗を閉店したいスポンサーの撤退コストを低減させることができる。
【０１１５】
なお、図１４（Ｃ）では、取引仲介サービス受付部３５４がディスプレイ３０４に表示されているが、取引仲介サービス受付部３５４は、スポンサーが閉店廃業の日を指定してサーバ２０へ登録した場合に利用可能であるとしてもよい。例えば、図９のステップＳ２４１で説明したように、スポンサー側通信装置１０Ａから一定期間、イベント情報の更新がない場合は、スポンサーが店舗等を閉店廃業した可能性があるものとして閉店廃業の日を配信するためのウェブサイトをサーバがユーザ側通信装置３０等へ送信することとしている。この場合は、スポンサーが自発的に閉店廃業の日を登録しているわけではないと考えることもでき、スポンサーが閉店廃業に伴う物件等の譲渡等を意図しているとは限らない。これに対し、スポンサーが閉店廃業の日をサーバ２０へ登録している場合は、スポンサーが店舗等の運営から撤退する等の意志があるものとして、取引仲介サービス受付部３５４を有効にすることとしてもよい。
【０１１６】
＜まとめ＞
（１）サーバ２０Ａは、周年の日の情報を配信するための第１のウェブサイトと、閉店の日を示す情報を配信するための第２のウェブサイトとを管理している。サーバ２０Ａの制御部２０７は、ユーザ側通信装置３０Ａから、スポンサーに関連する情報の送信の要求を受け付けて、当該スポンサーについてのイベント情報の更新がスポンサー側通信装置１０Ａによって一定期間内になされている場合は、周年情報送信部２７４により周年の日の情報として第１のウェブサイトをユーザ端末へ配信し、当該スポンサーについてのイベント情報の更新がスポンサー側通信装置１０Ａによって一定期間内になされていない場合は、閉店情報送信部２７５により閉店の日を示す情報（スポンサーが閉店廃業した可能性を示す情報）として第２のウェブサイトをユーザ端末へ配信するよう構成されている。ユーザ側通信装置３０Ａの制御部３０７の受信処理部３７２は、周年の日の情報として第１のウェブサイトを受信し、閉店の日に関する情報として第２のウェブサイトを受信する。表示制御部３７３は、サーバから受信したウェブサイトの情報をディスプレイ３０４に表示する。
【０１１７】
（２）サーバ２０Ａは、スポンサー管理情報２６１に、各スポンサー情報と対応付けて、スポンサーに関する所在地２６１Ｃを記憶している。スポンサー側通信装置１０Ａの入力操作受付部１０３は、スポンサーを識別する情報と対応付けて、スポンサーに関する所在地を示す情報をサーバ２０Ａへ登録するための操作を受け付ける。無線通信部１０２は、操作により受け付けた所在地を示す情報を登録内容としてサーバ２０Ａへ送信する。サーバ２０Ａの制御部２０７は、スポンサー側通信装置１０Ａから、スポンサーに関する所在地を示す情報を受信した場合、スポンサー管理情報２６１のスポンサーと対応付けて、受信した所在地を記憶させ、スポンサー管理情報２６１に記憶される所在地２６１Ｃが変更される場合は、スポンサーについての開店開業日の情報を、所在地の変更がなされる時に基づき更新する。
【０１１８】
（３）上記の実施形態で説明した配信システムによると、企業や商店などのスポンサーに対し、新規顧客の増加、顧客のリピート、顧客への新メニューの紹介、商品の在庫処理など様々な商機を提供することができる。さらには、企業や商店などの休業、廃業、または移転等に伴う顧客の喪失や経済的損失などを回避して、新規の開店開業等にも顧客を誘導することができる。
【０１１９】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０１２０】
１０  スポンサー側通信装置、２０  サーバ、３０  ユーザ側通信装置。
【図１】
2015232760.tif 000003
【図２】
2015232760.tif 000004
【図３】
2015232760.tif 000005
【図４】
2015232760.tif 000006
【図５】
2015232760.tif 000007
【図６】
2015232760.tif 000008
【図７】
2015232760.tif 000009
【図８】
2015232760.tif 000010
【図９】
2015232760.tif 000011
【図１０】
2015232760.tif 000012
【図１１】
2015232760.tif 000013
【図１２】
2015232760.tif 000014
【図１３】
2015232760.tif 000015
【図１４】
2015232760.tif 000016